(57)【要約】【課題】主制御基板を不正なものに交換する不正行為の虞を低減可能な遊技機の提供。【解決手段】主制御基板５０を収納した基板ケース３０を備え、主制御基板５０には照合用情報が記憶されるとともに照合用情報を読み出すためのコネクタ５１が設けられ、基板ケース３０の開放を規制するソレノイド７０と、ソレノイド７０を制御する規制制御手段とを備え、規制制御手段は、入力手段から入力された照合用情報と、主制御基板５０から読み出した照合用情報とを照合して、一致すればソレノイド７０による規制を解除し、一致しなければ規制を解除しないように構成され、入力手段が、演出の選択操作に用いられる演出操作部と、演出用の画像を表示する画像表示器とを備えて、画像表示器に表示された照合用情報構成要素が演出操作部で選択操作されることにより、規制制御手段に照合用情報が入力されるように構成された遊技機。【選択図】図４
2011235022.tif 000002
【特許請求の範囲】
【請求項１】
遊技を制御する主制御基板を収納した基板ケースを備え、前記主制御基板には照合用情報が記憶されるとともに該照合用情報を読み出すための読出し端子が設けられた遊技機において、
前記基板ケースの開放または前記基板ケースの遊技機からの取外しの少なくとも一方を規制する規制装置と、
前記規制装置を制御する規制制御手段と、
を備え、
前記規制制御手段は、前記読出し端子に接続される接続部と、照合用情報を入力するための入力手段とを備え、前記入力手段から入力された照合用情報と、前記読出し端子に接続された前記接続部を介して前記主制御基板から読み出した照合用情報とを照合して、一致すれば前記規制装置による規制を解除し、一致しなければ前記規制装置による規制を解除しないように構成され、
前記入力手段が、演出の選択操作に用いられる演出操作部と、演出用の画像を表示する画像表示器とを備えて、前記画像表示器に表示された照合用情報構成要素が前記演出操作部で選択操作されることにより、前記規制制御手段に照合用情報が入力されるように構成されたことを特徴とする遊技機。
【請求項２】
所定の操作が行われた時、所定の処理を行った時、または、所定時刻から、所定時間内にのみ、前記入力手段により照合用情報を入力可能とされたことを特徴とする請求項１記載の遊技機。
【請求項３】
所定の操作が行われた時、所定の処理を行った時、または、所定時刻から、所定時間内に、前記入力手段から照合用情報が入力されて、該入力された照合用情報と前記主制御基板から読み出した照合用情報とが一致した場合にのみ、前記規制制御手段が前記規制装置による規制を解除するように構成されたことを特徴とする請求項１記載の遊技機。
【発明の詳細な説明】
【技術分野】
【０００１】
本発明は、パチンコ遊技機やスロットマシン等の遊技機に関し、特に、主制御基板を収納する基板ケースに対する不正を防止可能とした遊技機に関する。
【背景技術】
【０００２】
下記特許文献１記載の遊技機では、遊技を制御する主制御基板を基板ケースごと不正なものに交換する不正行為を防止するため、遊技機からの基板ケースの取外しを規制する基板ケース固定ソレノイドを設け、故障による正規の交換や検査等のために基板ケースを取外すときは、所定の鍵によってシリンダ錠を解錠して内枠が開放可能になることで、基板ケース固定ソレノイドが励磁し、遊技機から基板ケースが取外し可能になるように構成している。
【０００３】
一方、遊技機においては、主制御基板に設けられたＣＰＵのＲＯＭに記憶されている情報を、照合装置で読み取ることにより、主制御基板が不正なものに交換されていないか調べることが、従来から行われており、かかる照合作業を容易にするため、照合装置を接続するための主制御基板上のコネクタを外部に露出させた基板ケースも、用いられている（下記特許文献２の段落０００６、０００７参照）。
【先行技術文献】
【特許文献】
【０００４】
【特許文献１】特開２００８−８６６５６号公報
【特許文献２】特開２００２−３１５９４０号公報
【発明の概要】
【発明が解決しようとする課題】
【０００５】
しかし、上記特許文献１記載の遊技機では、鍵を盗難されて使用されると、主制御基板を不正なものに交換する不正行為が行われてしまう虞があった。
【０００６】
本発明は、上記問題を解決するものであり、主制御基板を不正なものに交換する不正行為の虞を低減可能な遊技機を提供することを目的とする。
【課題を解決するための手段】
【０００７】
本発明の遊技機は、遊技を制御する主制御基板を収納した基板ケースを備え、前記主制御基板には照合用情報が記憶されるとともに該照合用情報を読み出すための読出し端子が設けられた遊技機において、前記基板ケースの開放または前記基板ケースの遊技機からの取外しの少なくとも一方を規制する規制装置と、前記規制装置を制御する規制制御手段と、を備え、前記規制制御手段は、前記読出し端子に接続される接続部と、照合用情報を入力するための入力手段とを備え、前記入力手段から入力された照合用情報と、前記読出し端子に接続された前記接続部を介して前記主制御基板から読み出した照合用情報とを照合して、一致すれば前記規制装置による規制を解除し、一致しなければ前記規制装置による規制を解除しないように構成され、前記入力手段が、演出の選択操作に用いられる演出操作部と、演出用の画像を表示する画像表示器とを備えて、前記画像表示器に表示された照合用情報構成要素が前記演出操作部で選択操作されることにより、前記規制制御手段に照合用情報が入力されるように構成されたことを特徴とする。
【０００８】
ここで、所定の操作が行われた時、所定の処理を行った時、または、所定時刻から、所定時間内にのみ、前記入力手段により照合用情報を入力可能となるように構成してもよい。
【０００９】
また、所定の操作が行われた時、所定の処理を行った時、または、所定時刻から、所定時間内に、前記入力手段から照合用情報が入力されて、該入力された照合用情報と前記主制御基板から読み出した照合用情報とが一致した場合にのみ、前記規制制御手段が前記規制装置による規制を解除するように構成してもよい。
【００１０】
なお、「規制する」とは、直接的に規制する場合のみならず、間接的に規制する場合も含む。
【発明の効果】
【００１１】
本発明の遊技機によれば、入力された照合用情報が、主制御基板が記憶している照合用情報と一致しなければ、基板ケースの開放または取外しができず、正しい照合用情報はメーカーなど限られた者しか知り得ないので、主制御基板を不正なものに交換する不正行為の虞を低減できる。しかも、遊技機に通常設けられている画像表示器と演出操作部とにより照合用情報を入力できるので、照合用情報を入力するための特別な入力装置を設けなくてもよく、低コストで実現できる。
【図面の簡単な説明】
【００１２】
【図１】本発明の第１実施形態に係るパチンコ遊技機の正面図である。
【図２】第１実施形態に係る十字キーの平面図である。
【図３】第１実施形態に係る遊技盤の背面図である。
【図４】第１実施形態に係る基板ケースの閉鎖状態（規制状態）の斜視図である。
【図５】第１実施形態に係る基板ケースの開放状態（規制解除状態）の斜視図である。
【図６】第１実施形態に係る基板ケースの要部概略断面図であり、（ａ）は規制状態、（ｂ）は規制解除状態を示す。
【図７】第１、２実施形態に係るパチンコ遊技機の要部ブロック図である。
【図８】第１、２実施形態に係る演出制御基板の処理の流れを示すフローチャートである。
【図９】第１、２実施形態に係る画像表示器にキーが表示された状態の図である。
【図１０】第１、２実施形態に係る規制制御手段の処理の流れを示すフローチャートである。
【図１１】第１実施形態の変形例に係る規制制御手段の処理の流れを示すフローチャートである。
【図１２】第１実施形態の他の変形例に係るパチンコ遊技機の要部ブロック図である。
【図１３】同他の変形例に係る遊技盤の背面図である。
【図１４】同他の変形例に係る規制制御手段の処理の流れを示すフローチャートである。
【図１５】第２実施形態に係る遊技盤の背面図である。
【図１６】第２実施形態に係る基板ケースの取外しが規制された状態の斜視図である。
【図１７】第２実施形態に係る基板ケースの取外し規制が解除された状態の斜視図である。
【図１８】内部機構を省略した図１５のXIV-XIV線概略断面図であり、第２実施形態に係る基板ケースの取外しが規制された状態を示す図である。
【図１９】図１５の状態から基板ケースを取外した状態を示す概略断面図である。
【図２０】（ａ）は、遊技盤に係止部材を係止した状態の要部正面図、（ｂ）は、遊技盤に係止部材を挿通し、あるいは、遊技盤から係止部材を引き抜くときの状態を示す要部正面図である。
【発明を実施するための形態】
【００１３】
本発明の第１実施形態のパチンコ遊技機について説明する。図１に示すように、第１実施形態のパチンコ遊技機は、枠ランプ１７、スピーカ１８、及び、演出操作部に相当する演出ボタン１９が配設された前面枠１０と、前面枠１０の内側に配設された遊技盤１とを備え、遊技盤１には遊技球が流下する遊技領域２が形成されている。遊技領域２には、中央部に画像表示器３の画面３ａが配設され、画像表示器３の下方には、電動チューリップ（電チュー）５を備えた始動入賞装置４が配設され、始動入賞装置４の下方には、大入賞装置７が配設されている。また、遊技領域２には、ゲート８、普通入賞装置９の他、図示しない多数の遊技釘が配設され、遊技領域２の外側には、普通図柄表示器１３、特別図柄表示器１４、普通図柄保留ランプ１５、及び、特別図柄保留ランプ１６が配設されている。
【００１４】
演出ボタン１９は、図２に示すように、十字キーと称されるタイプのものであるので、以下、十字キー１９という。十字キー１９は、上下左右の４つの方向選択部１９ａと、決定部１９ｂとを有しており、画像表示器３の画面３ａ上における選択部分を、方向選択部１９ａの押下により上下左右に移動させて、決定部１９ｂの押下により決定するものであり、遊技時は、画面３ａに表示される画像やスピーカ１８から出力される楽曲等の演出を選択するために用いられる。
【００１５】
普通図柄表示器１３は、遊技球のゲート８の通過を契機として行われる普通図柄抽選の結果に応じた普通図柄を、普通図柄の変動表示を経て停止表示するものであり、停止表示された普通図柄が当たり図柄であれば、電チュー５を開閉する補助遊技が行われる。普通図柄の変動表示中または補助遊技中に、遊技球がゲート８を通過すると、主制御基板５０（図３参照）は、その通過に対して取得した当たり乱数を、４個を上限として記憶（保留）しておき、普通図柄の変動表示を開始可能な状態になったときに、保留しておいた当たり乱数を用いて当たりか否かの判定を行い、普通図柄の変動表示を開始して判定結果を示す普通図柄を停止表示する。普通図柄保留ランプ１５は、保留されている当たり乱数の個数を表示するものである。
【００１６】
特別図柄表示器１４は、遊技球の始動入賞装置４への入賞を契機として行われる大当たり抽選の結果に応じた特別図柄を、特別図柄の変動表示を経て表示するものであり、特別図柄が大当たり図柄であれば、大入賞装置７を所定回数開閉する大当たり遊技が行われる。特別図柄の変動表示中または大当たり遊技中に、遊技球が始動入賞装置４に入賞すると、主制御基板５０は、その入賞に対して取得した大当たり乱数を、４個を上限として保留しておき、特別図柄の変動表示を開始可能な状態となったときに、保留しておいた大当たり乱数を用いて当たりか否かの判定を行い、特別図柄の変動表示を開始して判定結果を示す特別図柄を停止表示する。特別図柄保留ランプ１６は、保留されている大当たり乱数の個数を表示するものである。
【００１７】
図３に示すように、遊技盤１の後面には、遊技盤１の裏側の各種の機構を覆う盤裏カバー２０が取着され、盤裏カバー２０には、盤裏カバー２０の中央部に形成されている開口部を閉塞する蓋部材２１が、開閉可能に取着されている。盤裏カバー２０には、基板ケース３０が取着されている。詳しくは、基板ケース３０は、蓋部材２１を開放した状態で、基板ケース３０のベース部３１上端に設けられた断面略Ｕ字状の取付フック３２、３２を、盤裏カバー２０に設けられた取付軸２２、２２に引っ掛けて、基板ケース３０の下縁を、盤裏カバー２０に形成された押え爪片２３に係止させることにより、盤裏カバー２０に取着されている。そして、蓋部材２１を閉塞することにより、基板ケース３０の上端部は後方から蓋部材２１に覆われる。基板ケース３０は、蓋部材２１を開放した状態で、押え爪片２３の係止を解除して下縁を後方側に引けば、取付軸２２、２２回りで回転させて、盤裏カバー２０から取外すことができる。
【００１８】
図４、５に示すように、基板ケース３０は、透明な合成樹脂製で、背面視においていずれも略矩形状のベース部３１とカバー部３４とを備え、カバー部３４は、上端部に設けられた軸３５、３５がベース部３１の上端部に設けられた軸受け３３、３３に支持されることにより、軸３５、３５を中心としてベース部３１に対して回動可能に装着されている。なお、基板ケース３０における前後及び上下は、図３に示すようにパチンコ遊技機に取付けた状態における前後及び上下とし、基板ケース３０における左右は、図３に示す状態においてパチンコ遊技機の背面に向かって左右とする（図４の矢印参照）。カバー部３４の下壁部には係止爪３８が設けられ、ベース部３１の下端部には係止部３９が設けられて、基板ケース３０の閉鎖状態において、係止爪３８は係止部３９に係止される。
【００１９】
ベース部３１とカバー部３４とで閉塞される基板ケース３０内部には、遊技を制御する主制御基板５０が、カバー部３４に螺子止めされた状態で収納されている。主制御基板５０には、遊技制御用のワンチップマイコン５４が搭載されており、ワンチップマイコン５４が備えるＲＯＭ５３には、照合用情報が記憶されている。本実施形態では、照合用情報は、基板固有の識別情報（以下、「ＩＤ」という。）とされ、英数字で構成されている。主制御基板５０には、照合装置と接続するためのコネクタ５１や、他の基板と接続するためのコネクタ５２等、複数のコネクタが配置されており、カバー部３４には各コネクタを露出させるための孔が形成されて、主制御基板５０上の各コネクタは基板ケース３０の外部に露出している。なお、コネクタ５１は、ワンチップマイコン５４と接続され、ＲＯＭ５３に記憶されているＩＤを読出すための端子であり、読出し端子に相当する。また、ここでいう照合装置とは、パチンコ遊技機とは別体の装置であって、上記特許文献２に記載されているように、検査のために、ＲＯＭ５３に記憶されているＩＤを、コネクタ５１を介して読出して表示するものであり、検査を行う者は、表示されたＩＤを見て、把握している正しいＩＤと照合することができる。
【００２０】
ベース部３１には、カバー部３４の左側端よりも左方に延設されたスペースに、規制制御基板４０を収納する規制制御基板収納ケース（以下、「収納ケース」と略す。）４１が固着されている。規制制御基板４０は、ＣＰＵ、ＲＯＭ、ＲＡＭ等を備え、演出制御基板８０（図７参照）に接続されるコネクタ４６と、図示しない電源基板に接続されるコネクタ４８と、コネクタ５１に接続されるコネクタ（接続部に相当。）４７とを有している。規制制御基板４０のＣＰＵは、ＲＯＭに記憶されたプログラムにしたがって動作することにより、コネクタ５１に接続されたコネクタ４７を介してＲＯＭ５３からＩＤを読出す。
【００２１】
規制制御基板４０には、規制装置に相当するソレノイド７０が接続され、規制制御基板４０は、ソレノイド７０に対する通電を制御することにより、ソレノイド７０を励磁・消磁する。図６に示すように、ソレノイド７０は、収納ケース４１に収納された本体部７１と、本体部７１から基板ケース３０側に突出するプランジャ７２と、プランジャ７２の先端部を本体部７１から離れる方向に付勢するばね７３とから構成されている。そして、プランジャ７２の先端部は、収納ケース４１に形成された貫通孔４１ａから外方に突出している。カバー部３４は、閉塞状態において貫通孔４１ａに対向する位置に、貫通孔３４ａを有し、カバー部３４が閉塞されているときにソレノイド７０が消磁されると、図６（ａ）に示すように、プランジャ７２の先端部は、ばね７３の付勢力により貫通孔３４ａから基板ケース３０の内部に突出し、カバー部３４のベース部３１に対する回動を規制する。したがって、基板ケース３０は開放不能である。一方、ソレノイド７０が励磁されると、図６（ｂ）に示すように、プランジャ７２の先端部は、本体部７１側に引っ込んで貫通孔３４ａから基板ケース３０の外部に出て、カバー部３４のベース部３１に対する回動の規制が解除される。したがって、図５に示すように、カバー部３４を回動させることができ、基板ケース３０は開放可能となる。このように、本実施形態では、ソレノイド７０は基板ケース３０の開放を直接的に規制している。
【００２２】
図７に示すように、実施形態のパチンコ遊技機は、規制制御基板４０に接続された演出制御基板８０と、演出制御基板８０に接続された画像制御基板８１とを備え、画像制御基板８１には画像表示器３が接続されている。演出制御基板８０は、ＣＰＵ、ＲＯＭ、ＲＡＭの他、ＲＴＣ（リアルタイムクロック）と時間を計測するためのカウンタとを備えている。また、演出制御基板８０には十字キー１９が接続されて、十字キー１９の押下により発生した信号は、演出制御基板８０に入力され、さらに規制制御基板４０に入力される。演出制御基板８０、画像制御基板８１、画像表示器３、及び、十字キー１９は、照合用情報を入力するための入力手段４２を構成し、入力手段４２及び規制制御基板４０は規制制御手段を構成する。規制制御基板４０は、所定時刻が到来すると、主制御基板５０のＲＯＭ５３からＩＤを読出し、そのＩＤと入力手段４２から入力されたＩＤとを照合して、一致すればソレノイド７０に通電し励磁するように構成されている。すなわち、図７の矢印に示すように、主制御基板５０から規制制御基板４０へとＩＤが送信され、入力手段４２からは規制制御基板４０にＩＤが入力されて、規制制御基板４０によりソレノイド７０が制御される。一方、規制制御基板４０は、ソレノイド７０への通電から所定時間経過すると、ソレノイド７０への通電を停止してソレノイド７０を消磁するように構成されている。
【００２３】
以上のように構成されたパチンコ遊技機の規制制御手段の動作について、次に説明する。本実施形態では、所定時刻から所定時間内にのみ、ＩＤを入力するためのキー４４（図９参照）を画像表示器３の画面３ａに表示することにより、ＩＤを入力可能としている。通常時、ソレノイド７０は消磁されており、図４及び図６（ａ）に示すように、基板ケース３０の開放を規制している。また、コネクタ４７はコネクタ５１に接続されている。所定時刻が到来すると、演出制御基板８０は、時間の計測を開始し（図８のステップＳ０１）、画像制御基板８１を介して、図９に示すように画面３ａに複数のキー４４を表示させる（Ｓ０２）。そして、カウンタ値に基づいて上記所定時刻から所定時間内か否かを判定し（Ｓ０３）、所定時間内であればステップＳ０３に戻り、所定時間内でなければ、画像制御基板８１を介して画面３ａ上のキー４４の表示を終了させる（Ｓ０４）。すなわち、所定時刻から所定時間内にのみ、キー４４は表示される。
【００２４】
そして、キー４４が表示されている間、ユーザは、キー４４及び十字キー１９を用いて、ＩＤを入力可能である。詳説すると、各キー４４には、それぞれ英数字（照合用情報構成要素に相当。）または記号が表示されるとともに、現在選択されているキー４４が色を変えて表示されている。図９では、「１」を示すキー４４が選択されている。この選択部分は、十字キー１９の方向選択部１９ａが押下されることにより上下左右に移動する。そして、決定部１９ｂが押下された時に選択部分であったキー４４の情報（すなわち、そのキー４４に表示されている英数字または記号）が、画像制御基板８１を介して演出制御基板８０に入力される。演出制御基板８０は、入力されたキー４４の情報を記憶しておき、入力終了を示す所定のキー４４の情報が入力されたとき、入力されたキー４４の情報からなるＩＤを、規制制御基板４０に入力する。例えば、入力終了を示すキー４４が「＃」である場合、ユーザが「０」、「８」、「Ａ」、「３」、「Ｇ」、「＃」と入力すれば、「０８Ａ３Ｇ」というＩＤが規制制御基板４０に入力される。なお、入力されたＩＤを画面３ａに表示するようにしてもよい。
【００２５】
図８で示した演出制御基板８０の動作に平行して、規制制御基板４０は図１０に示すように動作する。すなわち、所定時刻（上記ステップＳ０１と同じ所定時刻）が到来すると、規制制御基板４０は、コネクタ５１を介してＲＯＭ５３からＩＤを読出して記憶する（図１０のステップＳ１０１）。そして、規制制御基板４０は、演出制御基板８０からＩＤの入力があったか否かを判定し（Ｓ１０２）、入力があれば、読出しておいたＩＤと一致するか否かを判定する（Ｓ１０３）。規制制御基板４０は、ステップＳ１０３で一致と判定すれば、ソレノイド７０に通電する。すると、ソレノイド７０が励磁してプランジャ７２が本体部７１側に引っ込み、貫通孔３４ａから抜けて、図６（ｂ）に示す規制解除状態となる（Ｓ１０４）。したがって、図５に示すように、カバー部３４を回動させて基板ケース３０を開放することができ、主制御基板５０を取外すことができる。一方、規制制御基板４０は、ステップＳ１０３で一致しないと判定すれば、ソレノイド７０への通電は行わず、演出制御基板８０にエラーである旨の信号を送信し、演出制御基板８０は画像制御基板８１を介して画面３ａにエラーである旨を表示する。したがって、ソレノイド７０は消磁されたままで、プランジャ７２が貫通孔３４ａに挿通された規制状態が維持され、基板ケース３０は開放不能である。
【００２６】
一方、上述したように、規制解除から所定時間が経過すれば、規制制御基板４０は、ソレノイド７０に対する通電を停止し、ソレノイド７０は消磁される。したがって、主制御基板５０の検査や交換の後、基板ケース３０を閉鎖状態としておけば、再び基板ケース３０の開放が規制される。なお、規制制御基板４０に規制スイッチを設けて、その規制スイッチを押下することにより、ソレノイド７０への通電を停止するように構成してもよい。
【００２７】
また、基板ケース３０の開放を規制する手段として、ソレノイド７０以外のものを併用することとしてもよい。例えば、ソレノイド７０とともに、後述する第２実施形態のようなカシメ部を基板ケース３０に設けて、そのカシメ部を切除するとともに、入力手段４２において正しいＩＤを入力してソレノイド７０を励磁しなければ、基板ケース３０を開放できないように構成してもよい。
【００２８】
このように、第１実施形態のパチンコ遊技機によれば、入力されたＩＤが主制御基板５０固有のＩＤと一致しなければ、基板ケース３０が開放できず、正しいＩＤはメーカーなど限られた者しか知り得ないので、主制御基板５０を不正なものに交換する不正行為の虞を低減できる。また、パチンコ遊技機に演出のために従来から設けられている画像表示器３や十字キー１９を用いて、ＩＤを入力させるので、ＩＤ入力のための特別の機器を必要とせず、低コストで実現可能である。
【００２９】
また、所定時刻から所定時間内にのみ、キー４４を表示することにより、ＩＤの入力を可能としているため、例えば、営業時間内の所定時刻から短時間（例えば５分間）だけＩＤの入力を可能とすれば、営業時間外における主制御基板５０の不正な交換を防止できる等、ＩＤを入力可能な時間を限定しない場合に比べ、不正行為の虞をより低減できる。
【００３０】
なお、処理の流れは図８、１０に示したものに限られず、例えば、演出制御基板８０が所定時刻到来を契機としてＲＯＭ５３からＩＤを読出すのではなく、入力手段４２からのＩＤ入力を契機としてＲＯＭ５３からＩＤを読出し、入力されたＩＤと読出したＩＤとを照合して、一致すれば規制を解除し、一致しなければエラー表示するように構成してもよい。すなわち、図１０の処理を、入力手段４２からのＩＤ入力を契機としてスタートさせ、Ｓ１０２がない流れとしてもよい。
【００３１】
また、キー４４の表示時間を限定する代わりに、キー４４は所定の操作により常時表示可能として、キー４４により所定時刻から所定時間内にＩＤが入力されたときのみ、その入力を有効とする等、所定時刻から所定時間内にのみＩＤの入力を可能とする方法には、種々の方法がある。また、所定時刻から所定時間内にのみＩＤを入力可能とする代わりに、所定の操作（例えば、電源投入操作）が行われた時や、所定の処理を行った時（例えば、電源投入により自動的にＩＤを読出すこととしてＩＤを読出した時や、電源投入により自動的に画面３ａにキー４４を表示することとしてキー４４を表示した時）から所定時間内にのみＩＤを入力可能とすることとしてもよい。
【００３２】
また、所定の操作を行えば時間を問わずキー４４が画面３ａに表示されてＩＤを入力できるように構成する等、ＩＤの入力を常時可能（すなわち、常時有効）としてもよい。
【００３３】
また、ＩＤの入力を常時可能とするが、所定の操作が行われた時、所定の処理を行った時、または、所定時刻から、所定時間内に、ＩＤが入力されて、入力されたＩＤとＲＯＭ５３から読出したＩＤとが一致した場合にのみ、規制を解除するように構成してもよい。以下、かかる変形例について、図１１に基づいて説明する。図１１の例では、規制制御基板４０は、ＲＴＣと時間を計測するためのカウンタとを備えており、所定時刻が到来すると、時間の計測を開始し（ステップＳ２０１）、ＲＯＭ５３からＩＤを読出す（Ｓ２０２）。次に、規制制御基板４０は、カウンタ値に基づいて所定時刻から所定時間内か否かを判定し（Ｓ２０３）、所定時間内でなければ、演出制御基板８０にキー４４の表示を終了させるための信号を送信してキー４４の表示を終了させて、処理を終え、所定時間内であれば、入力手段４２からＩＤの入力があったか否かを判定する（Ｓ２０４）。なお、入力手段４２は、所定の操作がなされれば時間を問わずキー４４を画面３ａに表示し、キー４４及び十字キー１９を用いて入力されたＩＤを規制制御基板４０に入力するように構成されている。すなわち、ＩＤの入力は常時可能とされている。規制制御基板４０は、ＩＤの入力がないと判定すれば、ステップＳ２０３に戻り、入力があると判定すれば、読出しておいたＩＤと入力されたＩＤとが一致するか否かを判定し（Ｓ２０５）、一致しなければ画像表示器３にエラーである旨を表示させて（Ｓ２０６）、ステップＳ２０３に戻り、一致すれば、ソレノイド７０に通電して基板ケース３０の開放規制を解除して（Ｓ２０７）、キー４４の表示を終了させる。
【００３４】
図１１の例では、所定時刻から所定時間内に、入力手段４２からＩＤが入力されて、入力されたＩＤとＲＯＭ５３から読出したＩＤとが一致した場合にのみ、規制が解除される。すなわち、ＩＤの入力は常時可能とされているが、結局正しいＩＤを所定時刻から所定時間内に入力しなければ規制は解除されないので、かかる時間を限らない場合に比べ、不正行為の虞をより低減できる。なお、処理の流れは、図１１に示したものに限られないことは勿論である。また、所定時刻から所定時間内とする代わりに、所定の操作が行われた時や、所定の処理を行った時から、所定時間内としてもよい。
【００３５】
また、図１１の例では、所定時刻到来を契機としてＩＤを読出したが、読出しの契機となる読出し操作部を設けて、読出し操作部の操作によりＩＤの読出しを行うように構成してもよい。以下、かかる例について、図１２〜１４に基づいて説明する。図１２に示すように、規制制御基板４０には読出し操作部として読出しスイッチ４５が接続されている。読出しスイッチ４５は、図１３に示すように、遊技盤１後面に配設され、詳しくは、規制制御基板４０上に配置されて、操作される部分が収納ケース４１に形成された孔から収納ケース４１の外部に露出している。また、規制制御基板４０は、ＲＴＣと時間を計測するためのカウンタとを備えており、所定時刻が到来すると、時間の計測を開始し（図１４のステップＳ３０１）、読出しスイッチ４５が操作されたか否かを判定して（Ｓ３０３）、操作されていなければステップＳ３０５に進むが、操作されていればＲＯＭ５３からＩＤを読出して（Ｓ３０４）、ステップＳ３０５に進む。なお、読出しスイッチ４５が操作されると、規制制御基板４０はキー４４を画像表示器３に表示させる。すなわち、読出しスイッチ４５が操作されると、ＩＤが入力可能となる。ステップＳ３０５では、規制制御基板４０は、カウンタ値に基づいて所定時刻から所定時間内か否かを判定し、所定時間内でなければ処理を終え、所定時間内であれば、ＲＯＭ５３からＩＤが読出されているか否かを判定する（Ｓ３０６）。そして、読出されていなければ、ステップＳ３０３に戻り、読出されていれば、入力手段４２からＩＤの入力があったか否かを判定する（Ｓ３０７）。規制制御基板４０は、ＩＤの入力がないと判定すれば、ステップＳ３０５に戻る。一方、入力があると判定すれば、規制制御基板４０は、読出しておいたＩＤと入力されたＩＤとが一致するか否かを判定し（Ｓ３０８）、一致しなければ画像表示器３にエラーである旨を表示させて（Ｓ３０９）、ステップＳ３０５に戻り、一致すれば、ソレノイド７０に通電して規制を解除する（Ｓ３１０）。なお、キー４４の表示は、所定時間の経過、または、規制の解除を契機として終了する。
【００３６】
図１２〜１４の例では、所定時刻から所定時間内に、読出しスイッチ４５を操作するとともに正しいＩＤを入力しなければ、基板ケース３０の開放規制は解除されないので、ＩＤを入力可能な時間を限定しない場合に比べ、不正行為の虞をより低減できる。また、読出しスイッチ４５は、遊技盤１後面に設けられているので、基板ケース３０の規制を解除するには、一旦遊技盤１の後面側を開放して読出しスイッチ４５を操作した後、遊技盤１の前面側にある画面３ａを見ながら十字キー１９を操作しなければならず、手間がかかる。したがって、この点からも、不正行為の虞をより低減できる。
【００３７】
なお、この変形例においても時間を限定しない流れとすることができる。すなわち、時間を問わず、読出しスイッチ４５の押下を契機に、ＲＯＭ５３からＩＤを読み出すとともにキー４４を表示し、入力手段４２からＩＤの入力があったら、そのＩＤと読出したＩＤとを照合し、一致すれば規制を解除し、一致しなければエラー表示するようにしてもよい。
【００３８】
次に、本発明の第２実施形態のパチンコ遊技機について説明する。なお、第１実施形態のパチンコ遊技機の構成要素に対応する構成要素については、第１実施形態における符号にＢを付し、その説明を省略する。
【００３９】
図１５に示すように、遊技盤１Ｂの後面に取着された盤裏カバー２０Ｂには、基板ケース３０Ｂが取着されている。図１６、１７に示すように、基板ケース３０Ｂは、透明な合成樹脂製で、ベース部３１Ｂとカバー部３４Ｂとを備え、カバー部３４Ｂは、カシメ部３６によりベース部３１Ｂに固着されている。すなわち、カシメ部３６を切除しなければ、基板ケース３０Ｂは開放されないように構成されている。基板ケース３０Ｂ内部には、主制御基板５０Ｂが収納されている。主制御基板５０Ｂにはワンチップマイコン５４Ｂが搭載され、ワンチップマイコン５４Ｂが有するＲＯＭ５３Ｂには、基板固有のＩＤが記憶され、主制御基板５０Ｂは、ＲＯＭ５３Ｂに記憶されているＩＤを読出すためのコネクタ（読出し端子に相当。）５１Ｂを有している。
【００４０】
ベース部３１Ｂには、規制制御基板４０Ｂを収納する収納ケース４１Ｂが装着されている。収納ケース４１Ｂは、ベース部３１Ｂに一体形成された下ケース６１と、下ケース６１に対して摺動可能に装着された上ケース６２とから構成され、上ケース６２を下ケース６１に対して摺動させることにより、収納ケース４１Ｂは、図１７に示すように開放される。規制制御基板４０Ｂは、コネクタ（接続部に相当。）４７Ｂを有し、規制制御基板４０ＢのＣＰＵは、コネクタ５１Ｂに接続されたコネクタ４７Ｂを介してＲＯＭ５３ＢからＩＤを読出す。
【００４１】
規制制御基板４０Ｂには、規制装置に相当するソレノイド７０Ｂが接続され、規制制御基板４０Ｂは、ソレノイド７０Ｂに対する通電を制御することにより、ソレノイド７０Ｂを励磁・消磁する。上ケース６２の側壁部の内面には、内方に円環状に突出する係止部６３が形成され、ソレノイド７０Ｂが消磁されているとき、ソレノイド７０Ｂのプランジャ７２Ｂの先端部は、図１６に示すように、係止部６３で囲まれた円形の凹部６４内に入り込んで、上ケース６２の摺動を阻止し、収納ケース４１Ｂを開放不能としている。一方、ソレノイド７０Ｂが励磁されると、図１７に示すように、プランジャ７２Ｂの先端部が本体部７１Ｂ側に引っ込んで凹部６４から抜け出るため、上ケース６２は摺動可能となって、収納ケース４１Ｂは、少なくとも後述する係止部材６５が配置された部分が開放可能となる。
【００４２】
図１８に示すように、ベース部３１Ｂにおける下ケース６１の前壁部に相当する部位には、貫通孔３７が形成され、貫通孔３７にはボルト状の係止部材６５が装着されている。係止部材６５は、貫通孔３７を通過不可能な大きさの頭部６６と、頭部６６から延設された丸棒状の棒状部６７と、棒状部６７の先端部（頭部６６側とは反対側の端部）に設けられて棒状部６７の径方向外側に突出する突出部６８とから構成されている。また、盤裏カバー２０Ｂ及び遊技盤１Ｂには、基板ケース３０Ｂを盤裏カバー２０Ｂに取付けた状態で貫通孔３７に前後方向において対応する位置に、貫通孔２４及び貫通孔１１が形成されている。そして、通常時には、図１８に示すように、係止部材６５は後方から貫通孔３７に挿通されて、棒状部６７が、ベース部３１Ｂを貫通するとともに、貫通孔２４及び貫通孔１１を通って盤裏カバー２０Ｂ及び遊技盤１Ｂを貫通し、突出部６８が遊技盤１Ｂの前面側に配置される。図２０に示すように、貫通孔１１は、突出部６８が通過可能な切欠部１１ａを有し、係止部材６５を遊技盤１Ｂに挿通するときは、図２０（ｂ）に示すように、突出部６８の位置を切欠部１１ａに合わせて挿通するが、挿通後は図２０（ａ）に示すように、係止部材６５を回転させることにより、突出部６８の位置が切欠部１１ａに合わなくなるようにして、係止部材６５を遊技盤１Ｂから抜けないように係止する。貫通孔３７及び貫通孔２４にも、切欠部１１ａと同様の切欠部が設けられて、係止部材６５は、突出部６８をそれらの切欠部に合わせた状態で、貫通孔３７及び貫通孔２４に挿通される。なお、貫通孔１１は、遊技盤１Ｂの前面に装着された図示しない装飾部材に前方から覆われて、貫通孔１１に挿通された係止部材６５と共に、前方からは視認不能とされている。
【００４３】
第２実施形態のパチンコ遊技機は、上述した部分以外の部分は、第１実施形態と同様に構成されている。そして、第１実施形態と同様に動作する。すなわち、通常時、ソレノイド７０Ｂは消磁されており、図１６に示すように、基板ケース３０Ｂの開放を規制している。また、コネクタ４７Ｂはコネクタ５１Ｂに接続されている。所定時刻が到来すると、演出制御基板８０Ｂ（図７参照）は、図８に示すように動作する。すなわち、その所定時刻から所定時間内にのみ、キー４４Ｂを画面３ａＢに表示して（図９参照）、ＩＤを入力可能とする。
【００４４】
図８で示した演出制御基板８０Ｂの動作に平行して、規制制御基板４０Ｂは図１０に示すように動作する。すなわち、所定時刻が到来すると、規制制御基板４０Ｂは、ＲＯＭ５３ＢからＩＤを読出す（ステップＳ１０１）。そして、入力手段４２ＢからＩＤが入力されれば（Ｓ１０２でＹＥＳ）、読出したＩＤと入力されたＩＤとを照合して、一致すれば（Ｓ１０３でＹＥＳ）ソレノイド７０Ｂを励磁して、上ケース６２の摺動規制を解除する（Ｓ１０４）。すると、図１７に示すように、上ケース６２を摺動させ収納ケース４１Ｂを開放することができるため、係止部材６５の頭部６６を回転させて、突出部６８を貫通孔１１の切欠部１１ａに合わせて、係止部材６５を引き抜くことにより、係止部材６５を遊技盤１Ｂから抜脱し、さらに、貫通孔２４に形成された切欠部に突出部６８を合わせて引き抜くことにより、係止部材６５を盤裏カバー２０Ｂから抜脱することができる。したがって、基板ケース３０Ｂは、蓋部材２１Ｂ（図１５参照）を開放した状態で、押え爪片２３Ｂの係止を解除して下縁を後方側に引いて取付軸２２Ｂ、２２Ｂ回りで回転させることにより、図１９に示すように、盤裏カバー２０Ｂ（すなわち、パチンコ遊技機から）から取外すことができる。
【００４５】
一方、規制制御基板４０Ｂは、ステップＳ１０３で一致しないと判定すれば、ソレノイド７０Ｂへの通電は行わず、入力手段４２Ｂにエラーである旨を送信し、入力手段４２Ｂは画面３ａＢにエラーである旨を表示する。したがって、ソレノイド７０Ｂは消磁されたままで、上ケース６２の摺動が規制された状態が維持され、収納ケース４１Ｂは開放不能であるため、係止部材６５を引き抜くことができず、基板ケース３０Ｂをパチンコ遊技機から取外すことはできない。このように、本実施形態では、ソレノイド７０Ｂは、収納ケース４１Ｂの開放、延いては、係止部材６５の係止解除を規制することにより、基板ケース３０Ｂの取外しを間接的に規制している。
【００４６】
なお、規制解除から所定時間が経過すれば、規制制御基板４０Ｂは、ソレノイド７０Ｂに対する通電を停止し、ソレノイド７０Ｂは消磁される。したがって、主制御基板５０Ｂの検査や交換の後、基板ケース３０Ｂを盤裏カバー２０Ｂに取付けて、図１８に示すように係止部材６５を遊技盤１Ｂまで挿通して係止し、図１６に示すように収納ケース４１Ｂを閉鎖状態としておけば、再び上ケース６２の摺動が規制され、収納ケース４１Ｂは開放不能となるので、基板ケース３０Ｂは取外し不能となる。
【００４７】
このように、第２実施形態のパチンコ遊技機によれば、入力されたＩＤが主制御基板５０Ｂ固有のＩＤと一致しなければ、収納ケース４１Ｂが開放できず、基板ケース３０Ｂをパチンコ遊技機に係止している係止部材６５の係止が解除できない。ここで、正しいＩＤはメーカーなど限られた者しか知り得ないので、基板ケース３０Ｂを取外して主制御基板５０Ｂを不正なものに交換する不正行為の虞を低減できる。
【００４８】
なお、第２実施形態においても、上述した第１実施形態の変形例のように、ＩＤの入力は常時可能として、所定の操作が行われた時、所定の処理を行った時、または、所定時刻から、所定時間内に、入力手段４２ＢからＩＤが入力されて、そのＩＤとＲＯＭ５３Ｂから読出したＩＤとが一致した場合にのみ、規制を解除するようにしてもよい。
【００４９】
また、第１実施形態において、基板ケース３０をカバー部３４がベース部３１に対して摺動することにより開閉するように構成し、ソレノイド７０がカバー部３４の摺動を規制するように構成したり、第２実施形態において、収納ケース４１Ｂを上ケース６２が下ケース６１に対して回動することにより開閉するように構成し、ソレノイド７０Ｂが上ケース６２の回動を規制するように構成したりしてもよい。
【００５０】
さらに、規制装置を、例えば小型モータ等、ソレノイド以外のもので構成してもよいし、基板ケースの開放と基板ケースの遊技機からの取外しの両方を規制するように構成してもよい。
【符号の説明】
【００５１】
３、３Ｂ…画像表示器
１９、１９Ｂ…十字キー（演出操作部）
３０、３０Ｂ…基板ケース
４０、４０Ｂ…規制制御基板
４２、４２Ｂ…入力手段
４７、４７Ｂ…コネクタ（接続部）
５０、５０Ｂ…主制御基板
５１、５１Ｂ…コネクタ（読出し端子）
７０、７０Ｂ…ソレノイド（規制装置）
【図１】
2011235022.tif 000003
【図２】
2011235022.tif 000004
【図３】
2011235022.tif 000005
【図４】
2011235022.tif 000006
【図５】
2011235022.tif 000007
【図６】
2011235022.tif 000008
【図７】
2011235022.tif 000009
【図８】
2011235022.tif 000010
【図９】
2011235022.tif 000011
【図１０】
2011235022.tif 000012
【図１１】
2011235022.tif 000013
【図１２】
2011235022.tif 000014
【図１３】
2011235022.tif 000015
【図１４】
2011235022.tif 000016
【図１５】
2011235022.tif 000017
【図１６】
2011235022.tif 000018
【図１７】
2011235022.tif 000019
【図１８】
2011235022.tif 000020
【図１９】
2011235022.tif 000021
【図２０】
2011235022.tif 000022